(57)【要約】【課題】中スライド式伸縮梯子にも適用することが可能で且つボルトの緩みを調整する必要のない梯子用足場を提供する。【解決手段】足場Ａは、一対の縦材１０と足場板１１とを有し、縦材１０は上部梯子１の縦桟３に沿って下部梯子２と干渉することがない位置に取り付けられる。縦材１０は上部縦材１０ａと下部縦材１０ｂとからなり、上部縦材には横桟４を受け入れる凹部１０ｄとバンド１３が設けられ、下部縦材には横桟５を受け入れる凹部１０ｅとバンド１４が設けられる。足場板１１は縦材１０の間に配置され、上部梯子１の横桟４と平行な回動軸１６を有するヒンジを介して収納姿勢と使用姿勢との角度範囲で回動可能に支持され、収納姿勢のとき足場板１１は下部梯子２と干渉することのない位置に退避し、使用姿勢の状態で上部梯子１と下部梯子２を短縮したとき足場板１１が下部梯子２の横桟７によって収納姿勢まで回動する。【選択図】    図１
2008025129.tif 000002
【特許請求の範囲】
【請求項１】
上部梯子と下部梯子を長手方向に伸縮可能に組み合わせた梯子に用いる梯子用足場であって、一対の縦材と足場板とを有して構成され、
前記一対の縦材は上部梯子の縦桟に沿って且つ下部梯子と干渉することがない位置に取り付けられ、且つ夫々の縦材は長手方向に摺動可能に組み合わせた上部縦材と下部縦材とからなり、上部縦材の上端部には上部梯子の横桟を受け入れる凹部が形成されると共に横桟に巻き付けられるバンドが設けられ、下部縦材の下端部には上部梯子の横桟を受け入れる凹部が形成されると共に横桟に巻き付けられるバンドが設けられ、
前記足場板は前記一対の縦材の間に配置されると共に上部梯子の横桟と平行な回動軸を有するヒンジを介して収納姿勢と使用姿勢との角度範囲で回動可能に支持され、収納姿勢のとき該足場板は下部梯子と干渉することのない位置に退避し、使用姿勢の状態で上部梯子と下部梯子を短縮したとき足場板が下部梯子の横桟によって収納姿勢まで回動し得るように構成されていることを特徴とする梯子用足場。
【請求項２】
夫々の縦材を構成する上部縦材と下部縦材は長手方向に摺動可能に且つ固定可能に構成されており、上部縦材と下部縦材を摺動させて夫々の縦材の端部に形成された凹部に夫々横桟を受け入れた状態で上部縦材と下部縦材を固定することを特徴とする請求項１に記載した梯子用足場。
【請求項３】
前記バンドは、可撓性を有する金属板からなることを特徴とする請求項１又は２に記載した梯子用足場。
【発明の詳細な説明】
【技術分野】
【０００１】
本発明は、梯子用足場に関し、特に、上部梯子と下部梯子とが摺動可能に組み合わされた伸縮梯子の横桟に取り付けた場合でも、該伸縮梯子の伸縮に悪影響を与えることがなく、且つ高所作業を行う際に安定した姿勢を保持し得るようにした梯子用足場に関するものである。
【背景技術】
【０００２】
２階建て、３階建て等の中低層建物では、外装の点検や補修を含む軽微な作業を梯子を利用して行う場合がある。一般的な梯子は横桟の上面に形成された踏面の寸法が小さいため作業姿勢が不安定となり、作業員の疲労を招き易く、且つ安全性の面からの問題も生じる。このため、梯子に取り付ける作業用足場、或いは作業床について多数の提案がなされている。
【０００３】
例えば、本件出願人が出願している特許文献１に記載された発明は、複数の梯子部材を長手方向に摺動可能に組み合わせて構成した梯子に於ける隣設した２本の横桟の間に設置し得るように構成したものであり、足場が折りたたみ可能に構成されており、足場を折りたたんだ状態で、作業員が乗り越すことが可能で且つ支障なく梯子の伸縮が可能なように構成したものである。この梯子用足場は、伸縮梯子を構成する複数の梯子部材の縦桟が梯子の正面に対し互いに前後方向にずれているような場合に適用することが可能である。
【０００４】
一方、伸縮梯子は必ずしも複数の梯子部材が、縦桟を互いに前後方向にずらせて組み合わされたもののみではなく、特許文献２に記載されているように、コ字状に形成された外側の縦桟が下部梯子を構成し、コ字状に形成された内側の縦桟が上部梯子を構成し、上部梯子は一対の縦桟の間で且つ該縦桟の前後方向（厚さ方向）の寸法の範囲内に、所定の間隔を持って複数の横桟が固定され、下部梯子は一対の縦桟の前面にコ字状に形成することで上部梯子と干渉することのないように構成された複数の横桟が固定されると共に後面に補強桟が上部梯子と干渉することにないように固定され、更に、下部梯子の横桟と上部梯子の横桟の間に伸縮用の滑車機構が配置された、所謂中スライド式伸縮梯子も提供されている。
【０００５】
【特許文献１】特開２００６−００９５００号公報
【特許文献２】特開２０００−０５４７６８号公報
【発明の開示】
【発明が解決しようとする課題】
【０００６】
特許文献１に記載された梯子用足場は、複数の梯子部材の縦桟が梯子の正面に対し互いに前後方向にずれているような伸縮梯子に利用すると有利である。しかし、特許文献２に記載されているような中スライド式伸縮梯子に適用しようとすると、ブラケット部分が縦桟から飛び出して伸縮に支障するという問題が生じる。
【０００７】
また伸縮梯子に於ける隣設する横桟に取り付ける際に、フレームを横桟の対向面に突っ張らせてボルトで固定し得るように構成した場合には、使用の都度、ボルトの緩みを確認して増し締めする必要があり、作業性を阻害するという問題も生じる。
【０００８】
本発明の目的は、一方の縦桟を他方の縦桟に摺動可能に内包させて構成した伸縮梯子にも適用することが可能で且つボルトの緩みを調整する必要のない梯子用足場を提供することにある。
【課題を解決するための手段】
【０００９】
上記課題を解決するために本発明に係る梯子用足場は、上部梯子と下部梯子を長手方向に伸縮可能に組み合わせた梯子に用いる梯子用足場であって、一対の縦材と足場板とを有して構成され、前記一対の縦材は上部梯子の縦桟に沿って且つ下部梯子と干渉することがない位置に取り付けられ、且つ夫々の縦材は長手方向に摺動可能に組み合わせた上部縦材と下部縦材とからなり、上部縦材の上端部には上部梯子の横桟を受け入れる凹部が形成されると共に横桟に巻き付けられるバンドが設けられ、下部縦材の下端部には上部梯子の横桟を受け入れる凹部が形成されると共に横桟に巻き付けられるバンドが設けられ、前記足場板は前記一対の縦材の間に配置されると共に上部梯子の横桟と平行な回動軸を有するヒンジを介して収納姿勢と使用姿勢との角度範囲で回動可能に支持され、収納姿勢のとき該足場板は下部梯子と干渉することのない位置に退避し、使用姿勢の状態で上部梯子と下部梯子を短縮したとき足場板が下部梯子の横桟によって収納姿勢まで回動し得るように構成されているものである。
【００１０】
上記梯子用足場に於いて、夫々の縦材を構成する上部縦材と下部縦材は長手方向に摺動可能に且つ固定可能に構成されており、上部縦材と下部縦材を摺動させて夫々の縦材の端部に形成された凹部に夫々横桟を受け入れた状態で上部縦材と下部縦材を固定することが好ましい。
【００１１】
更に、上記何れかの梯子用足場に於いて、前記バンドは、可撓性を有する金属板からなることが好ましい。
【発明の効果】
【００１２】
本発明に係る第１の梯子用足場（以下「足場」という）は、足場を構成する一対の縦材が、上部縦材と下部縦材とによって構成されており、上部縦材は上方の横桟にバンドを巻きつけて固定され、下部縦材は下方の横桟にバンドを巻きつけて固定される。そして、一対の縦材が、中スライド式伸縮梯子の上部梯子の縦桟に沿って且つ下部梯子と干渉することのない位置に取り付けられることから、足場を取り付けた状態で梯子を伸縮させても悪影響を及ぼすことがない。
【００１３】
特に、上部縦材は上方の横桟に、また下部縦材は下方の横桟に夫々固定されることとなり、上部縦材と下部縦材とを一体化させるためのボルトが緩んだとしても、夫々の縦材がバンドを利用して対応する横桟に独立して固定されることから、足場の安定した取付状態を保持することができる。
【００１４】
また、上部縦材と下部縦材を互いに摺動可能に構成した場合には、中スライド式伸縮梯子に於ける隣設する横桟の取付間隔が異なる場合でも、この間隔に合わせて調整することが可能となり、適用し得る中スライド式伸縮梯子の種類を増やすことができる。
【００１５】
また、バンドを可撓性を持った金属板によって構成した場合には、中スライド式伸縮梯子の横桟に対する取り付けが容易となり、作業性を損なうことなく安全性を向上することができる。
【発明を実施するための最良の形態】
【００１６】
以下、本発明に係る足場の最良の形態について図を用いて説明する。図１は足場の構成を説明する三面図であり、上部梯子に取り付けた状態を説明する図である。図２は中スライド式伸縮梯子の構造を説明する断面図である。図３は作業過程を説明する図である。
【００１７】
図に示す足場Ａは、中スライド式伸縮梯子Ｂの上部梯子１に取り付けて有利なように構成されたものであり、足場Ａの足場板１２を回動させて収納姿勢としたとき、この足場板１２が横桟４、５の厚さ内に収納されることで、中スライド式伸縮梯子Ｂの伸縮に支障をきたすことがないように構成され、また収納姿勢から回動させて使用姿勢としたとき、作業員を安定した姿勢で作業を進めることが可能なように構成されている。
【００１８】
先ず、図２により中スライド式伸縮梯子Ｂの構成について簡単に説明する。中スライド式伸縮梯子Ｂは上部梯子１と下部梯子２とによって構成されており、上部梯子１はコ字状に形成された左右一対の縦桟３、３と、縦桟３、３を結んで横方向に所定の間隔で配置された直線状の横桟４、５（隣設する横桟４、５）を有し、下部梯子２はコ字状に形成された左右一対の縦桟６と、縦桟６の一方側の面を結んで横方向に所定の間隔を持って配置され且つ上部梯子１の縦桟３及び横桟４、５と干渉することがないような形状を持って形成された横桟７と、縦桟６の他方側の面を結んで横方向に所定の間隔を持って配置され且つ上部梯子１の横桟４、５と干渉することがない形状を持って形成された補助桟８とを有して構成されている。
【００１９】
上部梯子１の縦桟３は下部梯子２の縦桟６の内部に嵌合しており、この嵌合状態を保持して互いに長手方向に摺動して伸縮し得るように構成されている。上部梯子１と下部梯子２とを摺動させて伸縮させる機能は特に限定するものではないが、両梯子１、２の縦桟３、６の所定位置に滑車９を設けておき、この滑車９を利用して伸縮させるように構成するのが一般的である。
【００２０】
上記の如く構成された中スライド式伸縮梯子Ｂでは、滑車９に巻き掛けた図示しないロープを操作することで、上部梯子１を下部梯子２から伸長させ、或いは縮小することが可能である。従って、建物の外壁を含む外部構造の点検を行うような場合、目的の位置で所望の長さに伸長させて利用することが可能である。
【００２１】
次に、図１により本実施例に係る足場Ａの構成について説明する。足場Ａは、上部梯子１を構成する左右一対の縦桟３、３と上下に隣設する一対の横桟４、５とによって構成された空間の内部に退避し得る構造と寸法を持って構成されている。従って、足場Ａを上部梯子１に取り付けて前記空間に退避させた状態で、中スライド式伸縮梯子Ｂを伸縮させることが可能である。
【００２２】
足場Ａは、上部梯子１の一対の縦桟３、３に沿って且つ上下に隣設する横桟４、５の間に配置される左右一対の縦材１０と、縦材１０に回動可能に支持された足場板１１とを有して構成されている。縦材１０の幅寸法は、上部梯子１を構成する横桟４、５の踏面の幅寸法（上部梯子１に於ける前後方向に対する横桟の寸法）と略等しいか僅かに小さい寸法を持って形成されており、足場板１１の厚さは横桟４、５の幅寸法よりも小さい寸法を持って形成されている。
【００２３】
縦材１０は、上部縦材１０ａと、上部縦材１０ａを摺動可能に嵌合させた下部縦材１０ｂと、によって構成されている。即ち、上部縦材１０ａ、下部縦材１０ｂは互いに断面がコ字型（溝型）に形成されており、下部縦材１０ｂの溝側の内部に上部縦材１０ａの溝型が嵌合し得るように構成されている。そして、下部縦材１０ｂの上端側に形成された長穴１０ｃに配置されたボルト１２ａ、ナット１２ｂを締結することで互いに固定して一体化し得るように構成されている。
【００２４】
上部縦材１０ａの上端部分には、上部梯子１の横桟３の下面を受け入れる凹部１０ｄが形成されており、該凹部１０ｄに対応する位置にバンド１３が設けられている。また下部縦材１０ｂの下端部分には上部梯子１の横桟４の上面を受け入れる凹部１０ｅが形成されており、該凹部１０ｅに対応する位置にバンド１４が設けられている。
【００２５】
凹部１０ｄ、１０ｅは、上部縦材１０ａ、下部縦材１０ｂを構成する溝型のウエブを凹状に切削して形成しても良いが、ウエブを凹状に形成すると共に該ウエブからフランジにかけて凹状に形成した板材を配置して溶接等の手段で一体化させて構成することが好ましい。このような凹部１０ｄ、１０ｅを構成することで、横桟４、５との接触面積を大きくして安定した取付状態を保持することが可能となる。
【００２６】
バンド１３，１４は、夫々可撓性を持った薄い金属シート、例えばステンレス鋼からなるシート、ばね鋼からなるシート等の十分な可撓性と、高い強度を持ったシート材によって構成されることが好ましい。
【００２７】
バンド１３、１４は凹部１０ｄ、１０ｅに受け入れた横桟４、５に巻き付けて一体化させるものであり、長さが凹部１０ｄ、１０ｅに受け入れた横桟４、５に巻き付けて安定して一体化させるのに十分な寸法を有しており、両端部分がねじ１５によって上部縦材１０ａ、下部縦材１０ｂのフランジに固定される。
【００２８】
足場板１１は、上部の踏み板１１ａと、側板１１ｂと、前板１１ｃとからなり、踏み板１１ａと側板１１ｂを加えた厚さは、下部縦材１０ｂの幅寸法（前後方向の寸法）よりも小さい寸法に構成されている。従って、足場板１１を下部縦材１０ｂに沿った方向に退避させたとき、該足場板１１は下部縦材１０ｂからはみ出すことがない。
【００２９】
足場板１１は、左右一対の下部縦材１０ｂを貫通して配置したヒンジを構成する軸１６に対し収納姿勢と使用姿勢との角度範囲で回動可能に取り付けられている。足場板１１の収納姿勢は、該足場板１１が略縦材１０（上部梯子１の縦桟３）に沿った方向の姿勢となり、このとき、足場板１１が横桟４、５からはみ出すことがない。また足場板１１の使用姿勢は、縦材１０から略直角な方向に突出した方向の姿勢となり、このとき、足場板１１に作用する荷重は足場Ａから中スライド式伸縮梯子Ｂに伝えられて支持される。
【００３０】
本実施例では、足場板１１が回動して下部縦材１０ｂに対し略直角状の使用姿勢となる位置には、足場板１１を構成する側板１１ｂと当接して支持する支持部材１７が配置されて下部縦材１０ｂに固定されている。また足場板１１が回動して収納姿勢となる位置には、足場板１１を構成する踏み板１１ａと当接して回動を規制するストッパー１８が固定されている。
【００３１】
軸１６は下部縦材１０ｂの幅方向の中央よりも僅かに後方に偏位した部位に設けられており、支持部材１６は前端部が下部縦材１０ｂの前端部と同一面になるように設けられている。軸１６、支持部材１７をこのように構成することで、足場板１１を支持部材１７によって支持する際に、両者の接触長さを長く確保することが可能である。
【００３２】
また、側板１１ｂの軸１６の中心から下部縦材１０ｂの前端までの距離の範囲内にプランジャー１９が取り付けられており、下部縦材１０ｂのウエブであって足場板１１がストッパー１８と当接したときにプランジャー１９と対向する位置に該プランジャー１９を受け入れる穴１９ａが形成されている。従って、足場板１１を退避方向（下部縦材１０ｂに沿った方向）に回動させてストッパー１８と当接するのと同時にプランジャー１９が穴１９ａと係合して安定した退避姿勢を保持することが可能である。
【００３３】
上記の如く構成された足場Ａを中スライド式伸縮梯子Ｂに取り付ける手順について説明する。
【００３４】
先ず、足場Ａを構成する各ねじ１５を外して上部縦材１０ａからバンド１３を下部縦材１０ｂからバンド１４を夫々外し、且つボルト１２ａ、ナット１２ｂを緩めておき、上部縦材１０ａと下部縦材１０ｂを縮小させた状態にして、中スライド式伸縮梯子Ｂの上部梯子１を構成する一対の縦桟３、３及び隣設する横桟４、５によって構成された空間に挿入する。
【００３５】
下部縦材１０ｂの下端部分に形成した凹部１０ｅに下方の横桟５を受け入れるように該横桟５の踏面に載置し、上部縦材１０ａを伸長させて上端部分に形成した凹部１０ｄを上方の横桟４の下面に対向させて該横桟４を受け入れる。この状態で、上部縦材１０ａの凹部１０ｄに受け入れた横桟４の踏面側にバンド１３を巻き付けてねじ１５によって固定する。同様に下部縦材１０ｂの凹部１０ｅに受け入れた横桟５の下面にバンド１４を巻き付けてねじ１５によって固定する。更に、ボルト１２ａ、ナット１２ｂを締結して上部縦材１０ａと下部縦材１０ｂを互いに固定する。
【００３６】
上記の如くして足場Ａを中スライド式伸縮梯子Ｂに取り付けることが可能である。そして、図３（ａ）に示すように、足場板１１を上部梯子１の縦桟３に沿った方向に回動させた退避位置にあるとき、該足場板１１が横桟４、５の幅寸法（前後方向の寸法）の範囲内に収まることから上部梯子１の下部梯子２に対する摺動に支障を与えることがなく、且つ作業員の昇降に支障を与えることもない。
【００３７】
そして、同図（ｂ）に示すように作業員が足で足場板１１を蹴るようにして回動させることで、同図（ｃ）に示すように、足場板１１を縦桟３に対し略直角まで回動させて支持部材１７によって支持させる。これにより、足場板１１に作業員が上ることが可能であり、作業員は足場板１１の広い踏み面に足を掛けられるため、安定した姿勢で目的の作業を進めることが可能となり、疲労を少なくして作業性の向上をはかることが可能となる。
【００３８】
目的の作業が終了して作業員が足場Ａから降下した後、足場板１１を使用姿勢に保持したままで、上部梯子１を下部梯子２側に収縮させると、上部梯子１の下部梯子２の方向への摺動に伴って下部梯子２の横桟７が足場板１２と当接し、更なる摺動に応じて足場板１１を収納姿勢に回動させる。このように、作業終了後は、人手によることなく、中スライド式伸縮梯子Ｂを縮小させることで足場板１１を収納姿勢にすることが可能である。
【産業上の利用可能性】
【００３９】
本発明に係る足場は、一対の縦材及び足場板が中スライド式伸縮梯子を構成する上部梯子の縦桟、横桟の前後方向の寸法よりも小さい寸法を持って形成されているため、上下梯子の摺動構造の如何に関わらず利用することが可能である。
【図面の簡単な説明】
【００４０】
【図１】足場の構成を説明する三面図であり、上部梯子に取り付けた状態を説明する図である。
【図２】中スライド式伸縮梯子の構造を説明する断面図である。
【図３】作業過程を説明する図である。
【符号の説明】
【００４１】
Ａ                          足場
Ｂ                          中スライド式伸縮梯子
１                          上部梯子
２                          下部梯子
３                          縦桟
４、５                      横桟
６                          縦桟
７                          横桟
８                          補助桟
９                          滑車
１０                        縦材
１０ａ                      上部縦材
１０ｂ                      下部縦材
１０ｃ                      長穴
１０ｄ、１０ｅ              凹部
１１                        足場板
１１ａ                      踏み板
１１ｂ                      側板
１１ｃ                      前板
１２ａ                      ボルト
１２ｂ                      ナット
１３、１４                  バンド
１５                        ねじ
１６                        軸
１７                        支持部材
１８                        ストッパー
１９                        プランジャー
１９ａ                      穴
【図１】
2008025129.tif 000003
【図２】
2008025129.tif 000004
【図３】
2008025129.tif 000005